(57)【要約】【課題】この発明の目的は、流れる水に含まれている土砂等が堆積するようにして近年の自然環境の保護、景観の維持等のエコロジーの観点からも良好なＵ字溝を提供することにある。【解決手段】断面が上向きコ字状をなすとともに、所定の長さを有する本体の対向する縦向き面に互いに対向するとともに、互い違いになっている壁を一体に設けて本体の縦向き面との間でポケットを形成し、前記壁のうちの流れの下流側であって本体の底面に近い部位に水の出口を設けてＵ字溝を形成し、このようなＵ字溝を複数個配設して流路を形成して流れる水が蛇行するようにした。【選択図】        図１
2005068660.tif 000002
【特許請求の範囲】
【請求項１】
断面が上向きコ字状をなすとともに、所定の長さを有する本体の対向する縦向き面に互いに対向するとともに、互い違いとなっている壁を一体に設けて本体の縦向き面との間でポケットを形成し、前記壁のうちの流れの下流側であって本体の底面に近い部位に水の出口を設けてＵ字溝を形成し、このようなＵ字溝を複数個配設して蛇行する流路を形成することを特徴とするＵ字溝。
【請求項２】
前記ポケットを形成する壁は本体の縦向き面から湾曲状に突出している請求項１記載のＵ字溝。
【請求項３】
前記壁は、その高さが流れの上流側から下流側にかけて順次高くなる勾配を有している請求項１記載のＵ字溝。
【請求項４】
前記Ｕ字溝を複数個連結して水を流した時は、流れの一部が前記ポケットの内部に流入した後に出口から流出する請求項１記載のＵ字溝。
【請求項５】
前記壁はプレス加工で形成されている請求項１記載のＵ字溝。
【請求項６】
前記壁は樹脂成形で形成されている請求項１記載のＵ字溝。
【発明の詳細な説明】
【０００１】
【発明の属する技術分野】
この発明はＵ字溝に関し、特に、内部の流れを蛇行させるとともに、水による運搬物を堆積して自然環境に近い状態にすることができるＵ字溝に関するものである。
【０００２】
【従来の技術およびその問題点】
一般に、水を流すためのＵ字溝に関しては特開平７−２７９２２８号に示すようなものが知られている。
【０００３】
【特許文献１】
特開平７−２７９２２８号公報
【０００４】
この特許文献１に示すものは、断面が上向きＵ字状をなして両側に開口するとともに、所定の長さを有するＵ字溝を用い、このＵ字溝の開口同士を連結して所定の長さの溝を形成する。そして、所望の位置に配設して溝の内部に水を流すことができる水路を形成するようになっている。
【０００５】
上記のようにして連結するようになっているＵ字溝にあっては、水を流した時には、水の流れが直線状となって、一緒に流れてくる土砂等は一体に流れてしまうようになっている。
【０００６】
このために、Ｕ字溝内を水が流れた際には、水と一体に流れてくる、たとえば土砂、木片等もそのまま一緒に流れてしまうので、Ｕ字溝の内部には魚等は生息することができない。このために、自然環境の保護や景観の維持等に対しては程遠いこととなっていて、近年要望されている、所謂、エコロジーの観点からは問題を有している。
そして、この発明の発明者は特願２００３−２０３０６１号において、一つのＵ字溝内の一方の内面に湾曲突出部を形成して水を蛇行させるようにしたＵ字溝を提案した。
しかしながら、このＵ字溝にあっては一つのＵ字溝内には一つの湾曲突出部しか形成されていないために、水に大きな蛇行をさせるためや、あるいはＵ字溝を配置する距離が長い時はたくさんのＵ字溝を配置せざるを得ず、作業効率が悪いという問題点を有していた。
【０００７】
この発明の目的は、前記のような従来のもののもつ問題点を解決するとともに、近年の自然環境の保護、景観の維持等のエコロジーの観点からも良好なＵ字溝を提供することにある。
この発明のさらに他の目的は水を大きく蛇行させることができるとともに、Ｕ字溝を設置する距離が長い場合でも非常に簡単な設置作業にすることができるＵ字溝を提供することにある。
【０００８】
【問題点を解決するための手段】
上記の目的を達成するためにこの発明は、断面が上向きコ字状をなすとともに、所定の長さを有する本体の対向する縦向き面に互いに対向するとともに、互い違いとなっている壁を一体に設けて本体の縦向き面との間でポケットを形成し、前記壁のうちの流れの下流側であって本体の底面に近い部位に水の出口を設けてＵ字溝を形成し、このようなＵ字溝を複数個配設して蛇行する流路を形成する手段を採用したものである。
そして、前記ポケットを形成する壁は本体の縦向き面から湾曲状に突出し、前記壁は、その高さが流れの上流側から下流側にかけて一定の高さであったり、あるいは順次高くなる勾配を有する等の手段を採用している。
また、前記Ｕ字溝を複数個連結して水を流した時は、流れの一部が前記ポケットの内部に流入した後に出口から流出するものであり、前記壁はプレス加工や樹脂成形で形成する手段を採用したものである。
【０００９】
【作用】
本発明は上記のように構成したことにより、Ｕ字溝内の水の流れが大きく蛇行し、しかもこの時にポケットの内部にも流入するためにポケットの内部に土砂等が堆積して自然に近い状態になる。したがって、このポケットの内部で動植物が繁殖したりするとともに、ポケットの内部に配設するもの、たとえば木炭によっては流れる水を濾過、透過することができて水質の保全と活性化を図ることができる。
【００１０】
【発明の実施の形態】
以下、図面に示すこの発明の実施の形態について説明する。
図１および図２にはこの発明によるＵ字溝１の第１の実施の形態が示されていて、このＵ字溝１は、通常のＵ字溝と同様に上方に開口するコ字状をなすとともに、通常のＵ字溝よりも長尺に形成されている。
そして、この発明によるＵ字溝１にあっては従来のＵ字溝と同様な本体２と、この本体２の対向する縦向き両側面３、４に、互いに対向する側面４、３に向かって互い違いに湾曲状に突出する壁５を有し、この壁５と本体２の側面３、４との間でポケット６が形成されている。
【００１１】
このポケット６は、下面が本体２の底面７との間で閉塞しているとともに、本体２内に水を流した時の下流側には出口８が形成されている。なお、図においては便宜上出口８を黒四角で示している。
【００１２】
これによって、上流側から下流側に向かってポケット６が互い違いに突出しているＵ字溝１による流路が形成され、しかも、ポケット６内に流入した水は壁５の下流側に設けた出口８を介して流出するようになる。
【００１３】
上記のように構成された流路に上流側から水を流すと、湾曲状に突出したポケット６の作用によって蛇行する水の流れと、ポケット６に流入し、ポケット６内に流入した一部の水が出口８を介して流れる水の流れとが形成されることになる。そして土砂はポケット６内に堆積されることになる。これに対して、一般的なＵ字溝にあっては直線状の水の流れのみであり、この流れによって土砂も一体に流れてしまう。
【００１４】
したがって、この発明によるＵ字溝１を用いて形成した流路にあっては、水は蛇行して流れ、これとともに、土砂も蛇行して流れる。そして、水が湾曲状に突出したポケット６の作用によって蛇行した流れの本流として流れる時に、水はポケット６の内部に貯溜しつつさらにこの貯溜した水の上面を上昇しつつ流れることになる。
【００１５】
また、水の一部はポケット６の内部に流入した後に出口８を介して流出して本流に合流するので、ポケット６の内部においても流れが生じる。このようにポケット６の内部にも流れを形成することでポケット６の内部に沈殿物が堆積する恐れは無くなる。
【００１６】
一方、水とともに流れる土砂も本流やポケット６の内部に流れ、特に、ポケット６の内部に流入した土砂はポケット６の内部に除々に堆積することになり水中微生物、昆虫、植物等などの自然繁殖が期待できる。この堆積に関しては前記出口８の存在によりポケット６の内部で堆積物が腐ったりする恐れは無いので水中微生物、昆虫、植物等などの自然繁殖は良好になる。
【００１７】
前記実施の形態においては、ポケット６を湾曲状に突出する壁５で形成したが、これに限定することなく種々な形状の壁５で形成することができ、また、そのようにして形成したポケット６によって本流を蛇行させることができることに加えて、ポケット６の内部を用いることで種々な効果を期待することができる。すなわち、内部に雑木の小枝を敷き詰めることにより、水中微生物、昆虫などの孵化、養殖場として活用でき、内部に木炭を敷き詰めて水を濾過、透過させることで不純物の除去と水質の保全と活性化に努められる。また、内部に土砂等を敷き詰め、植物を栽培することにより、土中微生物、昆虫などの孵化繁殖が旺盛になるほか、水中に垂れ落ちた草植物は、魚や昆虫などの産卵の場として利用できる。
【００１８】
したがって、ポケット６を形成することで上記のような種々な効果が混然一体となって発揮することができるものであり、この場合、ポケット６を形成する壁５をプレス加工や樹脂成形等で形成して従来のＵ字溝に取り付けることでもポケット６を配設することができる。
【００１９】
なお、前記実施の形態においては高さが一定の壁５を用いてポケット６を形成したが、これに限定することなく上面が傾斜する、すなわち所定の勾配を有している壁５を用いてポケット６を形成しても良い。すなわち、流れの一部がポケット６の内部に流入するように壁５を設ければ良いという事であり、勾配は必ずしも必要となるものではない。
【００２０】
図３および図４にはこの発明のＵ字溝１１の第２の実施の形態が示されていて、このＵ字溝１１は、通常のＵ字溝と同様に上方に開口するコ字状をなすとともに、通常のＵ字溝よりも長尺に形成されている。
そして、この発明によるＵ字溝１１にあっては従来のＵ字溝と同様な本体１２と、この本体１２の対向する縦向き両側面１３、１４に、互いに対向する側面１４、１３に向かって互い違いに湾曲状に突出するとともに、順次高くなる壁１５を有し、この壁１５と本体１２の側面１３、１４との間でポケット１６が形成されている。
【００２１】
このポケット１６は、下面が本体１２の底面１７との間で閉塞しているとともに、本体１２内に水を流した時の下流側には出口１８が形成されている。なお、図においては便宜上出口１８を黒四角で示している。
【００２２】
これによって、上流側から下流側に向かってポケット１６が互い違いに突出しているＵ字溝１１による流路が形成され、しかも、ポケット１６内に流入した水は壁１５の下流側に設けた出口１８を介して流出するようになる。
【００２３】
上記のように構成された流路に上流側から水を流すと、湾曲状に突出したポケット１６の作用によって蛇行する水の流れと、ポケット１６に流入し、ポケット１６内に流入した一部の水が出口１８を介して流れる水の流れとが形成されることになる。そして土砂はポケット１６内に堆積されることになる。これに対して、一般的なＵ字溝にあっては直線状の水の流れのみであり、この流れによって土砂も一体に流れてしまう。
【００２４】
したがって、この発明によるＵ字溝１１を用いて形成した流路にあっては、水は蛇行して流れ、これとともに、土砂も蛇行して流れる。そして、水が湾曲状に突出したポケット１６の作用によって蛇行した流れの本流として流れる時に、水はポケット１６の内部に貯溜しつつさらにこの貯溜した水の上面を上昇しつつ流れることになる。
【００２５】
また、水の一部はポケット１６の内部に流入した後に出口１８を介して流出して本流に合流するので、ポケット１６の内部においても流れが生じる。このようにポケット１６の内部にも流れを形成することでポケット１６の内部に沈殿物が堆積する恐れは無くなる。
【００２６】
一方、水とともに流れる土砂も本流やポケット１６の内部に流れ、特に、ポケット１６の内部に流入した土砂はポケット１６の内部に除々に堆積することになり水中微生物、昆虫、植物等などの自然繁殖が期待できる。この堆積に関しては前記出口１８の存在によりポケット１６の内部で堆積物が腐ったりする恐れは無いので水中微生物、昆虫、植物等などの自然繁殖は良好になる。
【００２７】
前記実施の形態においては、ポケット１６を湾曲状に上面が傾斜して順次高くなる壁１５で形成したが、これに限定することなく種々な形状の壁１５で形成することができる。
【００２８】
また、ポケット１６によって本流を蛇行させることができることに加えて、ポケット１６の内部を用いることで種々な効果を期待することができる。すなわち、内部に雑木の小枝を敷き詰めることにより、水中微生物、昆虫などの孵化、養殖場として活用でき、内部に木炭を敷き詰めて水を濾過、透過させることで不純物の除去と水質の保全と活性化に努められる。また、内部に土砂等を敷き詰め、植物を栽培することにより、土中微生物、昆虫などの孵化繁殖が旺盛になるほか、水中に垂れ落ちた草植物は、魚や昆虫などの産卵の場として利用できる。
【００２９】
したがって、ポケット１６を形成することで上記のような種々な効果が混然一体となって発揮することができるものであり、この場合、ポケット１６を形成する壁１５をプレス加工や樹脂成形等で形成して従来のＵ字溝に取り付けることでもポケット１６を配設することができる。
【００３０】
なお、前記実施の形態においては壁１５の上流側の端部が本体１２の底面１７に位置するようにしたが、底面１７に対して所定の高さを有していても良く、このことは、流れの一部がポケット１６の内部に流入するように壁１５を設ければ良いという事であり、勾配は必ずしも必要となるものではない。
【００３１】
【発明の効果】
この発明は前記のように構成したことにより、流れを大きく蛇行させることに加えて流れに混在する土砂等をポケットの内部に溜めることができ、この溜めた土砂等を用いて自然の環境に近い状態にすることができる。これによって、従来のＵ字溝では全く存在しなかった水中微生物等の自然繁殖や昆虫植物等の自然繁殖を期待することができる。
しかも、長尺なので設置距離が長い場合であっても非常に簡単な設置作業にすることができて設置効率が高いという効果を奏している。
【図面の簡単な説明】
【図１】この発明によるＵ字溝の第１の実施の形態を示す概略斜視図である。
【図２】図１の概略平面図である。
【図３】この発明によるＵ字溝の第２の実施の形態を示す概略斜視図である。
【図４】図３の概略平面図である。
【符号の説明】
１、１１……Ｕ字溝
２、１２……本体
３、４、１３、１４……側面
５、１５……壁
６、１６……ポケット
７、１７……底面
８、１８……出口
【図１】
2005068660.tif 000003
【図２】
2005068660.tif 000004
【図３】
2005068660.tif 000005
【図４】
2005068660.tif 000006